【事件の表示】
　特許第５９５２４６２号発明「予約管理装置、予約管理方法および予約管理プログラム」の特許異議申立事件について、次のとおり決定する。
【結　論】
　特許第５９５２４６２号の請求項１〜５に係る特許を維持する。
【理　由】
１．手続の経緯
　特許第５９５２４６２号の請求項１〜５に係る特許についての出願は、平成２７年５月２５日に特許出願され、平成２８年６月１７日にその特許権の設定登録がされ、その後、その特許に対し、特許異議申立人遠藤義彦により特許異議の申立てがされたものである。
２．本件発明
　特許第５９５２４６２号の請求項１〜５の特許に係る発明は、それぞれ、その特許請求の範囲の請求項１〜５に記載された事項により特定されるとおりのものである。　
３．申立理由の概要
　特許異議申立人遠藤義彦は、証拠として電子通信回線を通じて公衆が利用可能になった記事（１）「ＳＥＬＥＣＴブログ／［予約フォーム］予約フォーム作成の始め方」、２０１４年７月８日、セレクトタイプ、＜https://select-type.com/blog/yoyakuform-tukurikata/start-yoyakuform-sakusei/＞（以下「甲第１号証の１」という。）（２）「ＳＥＬＥＣＴブログ／［予約フォーム］『予約の種類』とは？／個別に予約枠や受付時間を設定する」、２０１４年７月１７日、セレクトタイプ、＜https://select-type.com/blog/yoyakuform-tukurikata/start-yoyakunosyurui/＞（以下「甲第１号証の２」という。）（３）「ＳＥＬＥＣＴブログ／予約フォームの『イベント受付タイプ』で学校・塾・習い事の授業管理予約システムを作る」、２０１５年３月２３日、セレクトタイプ、＜https://select-type.com/blog/help /school-reserve-calender-setting/＞（以下「甲第１号証の３」という。）（４）「ＳＥＬＥＣＴブログ／『営業時間タイプ』とは？／予約フォームのタイプ」、２０１５年５月９日、セレクトタイプ、＜https://select-type.com/blog/yoyakuform-tukurikata/eigyou-jikan-type-yoyaku-form/＞（以下「」という。）（５）「予約フォーム＆予約システム」、２０１６年、セレクトタイプ、＜https://select-type.com/ reserve.php/＞（以下「甲第１号証の５」という。）（６）「運営元情報」、２０１６年、セレクトタイプ、＜https://select-type.com/ info/＞（以下「甲第１号証の６」という。）（７）特開２００５−２９３２７６号公報（以下「甲第２号証」という。）（８）特開２００２−１６３５２７号公報（以下「甲第３号証」という。）（９）特開２００２−２３０３８４号公報（以下「甲第４号証」という。）（１０）特開２００２−４９８０７号公報（以下「甲第５号証」という。）を提出し、請求項１〜５に係る特許は特許法第２９条第２項の規定に違反してされたものであるから、請求項１〜５に係る特許を取り消すべきものである旨主張している。
４．刊行物の記載
（１）甲第１号証
（ア）甲第１号証の１には、
　「「ＳＥＬＥＣＴ」で、予約フォームを作成する際に、最初に業種選択を行うと、「業種選択」タイプに応じて“サンプルデータ”が初期セットされる。」ことが記載されている。
（イ）甲第１号証の２には、
　「「ＳＥＬＥＣＴ」の予約フォームには「予約の種類」という設定項目があり、病院の利用シーンでは、「初診」「再診」を予約の種類として登録され、飲食店の利用シーンとして「通常の予約」「１時間コース」「２時間コース」「３時間コース」という予約の種類が登録されること。」が記載されている。
（ウ）甲第１号証の３には、
　「「ＳＥＬＥＣＴ」で学校・塾・習い事の授業管理システムを作り、ピンポイントでしてした日付に受付枠を作り、補講、特別授業、お試し授業を予約すること。」が記載されている。
（エ）甲第１号証の４には、
　「「ＳＥＬＥＣＴ」予約受付タイプには『営業時間タイプ』『イベント受付タイプ』を設定でき、『営業時間タイプ』は、予約受付が可能な時間の範囲なら、自由に何時からでも予約を受け付けるものであり、『イベント受付タイプ』は、学校の授業のような『時間割』に近いサービス内容の予約を受け付けるものであること。」が記載されている。
　以上のことから、
　甲第１号証には、
「「ＳＥＬＥＣＴ」予約受付タイプには『営業時間タイプ』『イベント受付タイプ』を設定でき、『営業時間タイプ』は、予約受付が可能な時間の範囲なら、自由に何時からでも予約を受け付けるものであり、『イベント受付タイプ』は、学校の授業のような『時間割』に近いサービス内容の予約を受け付け、
「ＳＥＬＥＣＴ」の予約フォームには「予約の種類」という設定項目があり、病院の利用シーンでは、「初診」「再診」を予約の種類として登録され、飲食店の利用シーンとして「１時間コース」「２時間コース」「３時間コース」という予約の種類が登録され、学校・塾・習い事では、補講、特別授業、お試し授業を予約でき、
「ＳＥＬＥＣＴ」で、予約フォームを作成する際に、最初に業種選択を行う
予約管理装置」の発明が記載されている。
（２）甲第２号証には、
（ア）「【００２２】
  以降、本発明の情報共有システムの実施形態を詳細に説明する。
＜１．システム構成＞
  まず、本実施形態の情報共有システムの全体構成を、図１を参照しながら説明する。
  図１において、デジタルマップ・サーバ１１０，ＷＥＢサーバ１２０，共有データサーバ１３０は、本実施形態の情報共有システムのサーバである。また、例えば
自己の商品やサービスその他の情報を提供する者（以降「出展者」という）の端末（以降「出展者端末」という）１４０，および出展者の情報を利用する者（以降「利用者」という）の端末（以降「利用者端末」という）１５０が、インターネットなどのネットワーク１６０を介して、サーバに接続している。出展者は自己の情報を提示するコンテンツを作成してサーバに登録し、利用者は登録されたコンテンツを検索、閲覧して情報を利用することができる。
  デジタルマップ・サーバ１１０には、デジタルマップ１１１およびデジタルマップ・システム１１２を格納している。本実施形態において、デジタルマップ１１１は地図の画像
を一定のサイズに分割した画像ファイルと、それぞれの画像ファイルの位置情報とを格納しているライブラリである。この画像ファイルのファイル形式は、例えばＪＰＥＧなどである。デジタルマップ・システム１１２は、端末からの要求により、デジタルマップ１１１から画像ファイルを読み出して、端末の画面に表示するための表示用画像を生成する処理を行なうシステムである。デジタルマップ１１１およびデジタルマップ・システム１１２については後で詳しく説明する。」
（イ）「【００３３】
＜３．カテゴリ構成＞
  本実施形態では、
コンテンツをＷｅｂサーバ１２０に登録する際に、「カテゴリ」を指定して登録する。カテゴリの構成はあらかじめ決められている。本実施形態のカテゴリは、メイン・カテゴリである「クラス１カテゴリ」と、クラス１カテゴリをさらに詳細に分けたサブ・カテゴリである「クラス２カテゴリ」とで構成されている。
  図４は、本実施形態におけるクラス１カテゴリの構成例である。図４に示すように、本実施形態では「情報・通信」「交通」「観光」「フード」「住まい・暮らし」「娯楽・趣味」「医療・美容」「スポーツ・健康」「教育・資格」「サービス・相談」の、１０個のクラス１カテゴリがある。各クラス１カテゴリには、０〜９の「クラス１カテゴリＮｏ．」が振られている。
  また、図５はクラス１カテゴリ「観光」（クラス１カテゴリＮｏ．は「２」）に対応するクラス２カテゴリの構成例である。「観光スポット」「ツアー」「ホテル・旅館」「ペンション・民宿」「テーマパーク」「温泉」「その他」の７個のクラス２カテゴリがあり、各クラス２カテゴリには、１〜６，および９（「その他」）の「クラス２カテゴリＮｏ．」が振られている。なお、図４および図５に示した構成は本実施形態における例であり、カテゴリはシステムに応じて自由に決定してよい。
  本実施形態では、コンテンツをＷｅｂサーバ１２０に登録する際に、コンテンツを所属
させたいカテゴリを選んで登録する。このため、利用者がコンテンツを検索する際にカテゴリを検索条件とすることができ、目的のコンテンツを探しやすい。」
（ウ）「【００４２】
（６−２．サービス・プロパティ）
  上述したように、
サービス・プロパティとは、カテゴリごとに定められた項目群である。例えば、カテゴリが「観光」−「ホテル・旅館」であれば、各部屋に関する情報（部屋タイプ、設備、宿泊料金などの項目）などである。
  本実施形態では、このように、Ｔｉｍｅ，Ｔｅｒｍ，Ｍｏｎｅｙ，Ｄａｔｅの各項目を標準化して、電子パンフレットインデックス１３３に格納している。このため、利用者はカテゴリや位置によるコンテンツの検索だけでなく、カテゴリや位置を指定しなくても、時間・日付・金額などを（単独、あるいは組み合わせて）自由に指定してコンテンツを検索することができる。」
（エ）「【００５６】
  図２１〜図２７はある宿泊施設の電子パンフレットの例（予約機能を備えている例）である。
  図２１はトップ画面の例である。トップ画面には例えば宿泊施設の名称やキャッチフレーズ、連絡先などを掲載する。この画面の例では、画面を上下２つのブロックに分割してそれぞれにページを表示している。図２２は交通案内を表示した画面の例である。２つに分割した下のブロックに交通案内のページを表示している。表示されている地図は、例えば上述した出展者の専用マップ（ステージ９のデジタルマップ）である。図２３は料理の案内を表示した画面の例である。図２２，２３の画面に表示されている情報は、電子パンフレット作成時に出展者が入力した情報である。また、図２４〜図２７は予約画面の例である。ここでも各画面を複数のブロックに分割して、各ページ（プラン紹介ページ、予約の入力ページ、空室状況の表示ページなど）を表示している。上述したように、本実施形態では電子パンフレットの各ページ（出展者が作成時に指定したページ）のページ送りを
、出展者が選んだエフェクトで自動再生する。
  図２４〜図２７の予約画面の例において、図２４では、サービス内容表示部２４１０は宿泊プランの説明が表示されている。宿泊プランの説明は、電子パンフレットを作成する際に出展者が入力した事項である。また、空室状況表示部２４２０には現在の空室状況を表示している。
空室状況の表示は、電子パンフレットにあらかじめ備えられている機能である。利用者が宿泊設定入力部２４３０で宿泊日や宿泊人数などを入力し、次の画面（図２５）のオプション入力部２５３０でその他のオプションなどを選択して、「予約」ボタン２５４２をクリックすると、図２６に示す予約者情報入力画面を表示する。
  さらに利用者は図２６の予約者情報入力画面で、個人・団体の別や、氏名・住所などの個人情報を入力する。「確認画面に進む」２６１０をクリックすると、図２７の確認画面に遷移し、表示された予約内容を確認して、訂正する場合は「内容の変更」ボタン２７１０をクリックして入力をやり直し、予約する場合には「送信する」ボタン２７２０をクリックする。「送信する」ボタン２７２０がクリックされると、取引種別が「予約」であるトランザクションが生成されて、共有データサーバ１３０の取引履歴トランザクション１３５に登録される。また、利用者がまだ「顧客」となっていない場合（本実施形態の情報共有システムで初めて商品の注文やサービスの予約などを行なう場合）には、図２６で個人情報の欄に入力された利用者の情報が、共有データサーバ１３０の顧客マスタ１３７に登録される。」
（オ）「【００５９】
（２）基本データの登録
  図１８のトップ画面で「Ａ」ボタン１８１２をクリックすると、図２８に示す基本データ登録画面２８００に遷移する。基本データ登録画面２８００は、アップローダー１４４で商品・サービスの管理をするための各種設定をしたり、共有データサーバ１３０の電子パンフレットインデックス１３３へのデータの登録や更新を行なったりするための画面である。なお、共有データサーバ１３０の電子パンフレットインデックス１３３へのデータの登録や更新を行なう際には、出展者端末１４０の電子パンフレットインデックス１４３への登録や更新も行なわれ、双方は常に同じ状態になっている。以降についても、同様である。
  基本データ登録画面２８００では「グループ」「プラン」「ランク」「単価」「Ｄレート（ディスカウントレート）」「カテゴリー」「オプション」「キーワード」「文書」「画像」の設定ができる。これらはそれぞれ「グループ」タグ２８０１〜「画像」タグ２８９１をクリックしてそれぞれの設定欄（図２８では「グループ」の設定欄２８０２）を表示し、入力欄（図２８では「グループ」の入力欄２８０３）に入力する。説明欄（図２８では「グループ」の説明欄２８０４）には説明や入力の仕方などのテキストが表示される。「更新」ボタン（図２８では「グループ」の「更新」ボタン２８０５）をクリックすると、設定内容を出展者端末１４０の記憶領域に記憶する。これらの設定はアップローダー１４４で使用される。なお、後述の「単価」「カテゴリー」「オプション」「キーワード」において「更新」ボタンをクリックした場合には、電子パンフレットインデックス１３３を更新する。「商品の登録へ」ボタン（図２８では「グループ」の「商品の登録へ」ボタン２８０６）をクリックすると、後述の図２９に示す商品登録画面２９００に遷移する。
  「グループ」は、商品やサービスを分類するグループ、「プラン」は、商品やサービスのプラン（例えば宿泊プランなど）「ランク」は人気商品や注目商品などのランクを設定する設定欄である。ここで設定された情報は、例えば販売集計（アップローダーの機能である）に利用したり、電子パンフレットの作成時に読み出して使用することができる。
  
「単価」は商品・サービスの定価や単価などを設定する設定欄である。
「オプション」は商品・サービスに付属する商品やサービス（例えば、宿泊施設のオプションサービス）の価格などを設定する設定欄である。
  「カテゴリー」は、コンテンツのカテゴリーを選択する設定欄、「キーワード」は、コンテンツのキーワードを設定する設定欄である。ここで設定されたカテゴリーおよびキーワードは電子パンフレットインデックス１３３に登録され、検索用サイトでの検索対象となる。
  「文書」は、商品・サービスの説明を入力する設定欄である。「画像」は商品・サービスの写真などの画像を加工（例えば、電子パンフレット用のサイズに変更する）して保存・管理するための設定欄である。これらの設定欄で設定された説明や画像は、例えば、電子パンフレットの作成時に表示用のテキストや画像として使用できる。」（下線は、当審による。）
　以上のことから、甲第２号証には、
「情報共有システムは、出展者端末１４０，利用者端末１５０が、インターネットなどのネットワーク１６０を介して、サーバに接続していて、
共有する情報には、クラス１カテゴリ「観光」に対応するクラス２カテゴリである「観光スポット」「ツアー」「ホテル・旅館」「ペンション・民宿」「テーマパーク」「温泉」「その他」の７個のクラス２カテゴリがあり、
空室状況の表示は、電子パンフレットにあらかじめ備えられている機能であり、利用者が宿泊設定入力部２４３０で宿泊日や宿泊人数などを入力し、次の画面（図２５）のオプション入力部２５３０でその他のオプションなどを選択して、「予約」ボタン２５４２をクリックすると、図２６に示す予約者情報入力画面を表示し、
「単価」は商品・サービスの定価や単価などを設定する設定欄で、「オプション」は商品・サービスに付属する商品やサービス（例えば、宿泊施設のオプションサービス）の価格などを設定する設定欄である
空き室予約を行うシステム」の発明が記載されている。
（３）甲第３号証
（ア）「【００２７】図１に示されるように、この
代行システム１は、ネットワーク３に顧客９の有する端末機５、加盟店１１の有する加盟店サーバ７、サービス提供サーバ８及びサービス代行サーバ（代行業者）１３等が接続される。
（イ）「【００５２】図８は、予約対象リソースデータベース５３を示す図である。
予約対象リソースとは、加盟店１１が先着型予約、抽選型予約、時間枠予約等の予約サービスを行うときに、この予約サービスで取扱う商品等の情報である。
（ウ）「【０２００】
固定時間帯枠型４３１は、あらかじめ決められた固定時間枠を先着型で予約受け付けをする。フリー時間帯枠型４３３は申込み者が任意の時間帯で予約できる。
（エ）「【０２４２】図６２から図６４は、予約対象リソース登録管理画面６０３、６２３を示す図である。ボード名称６４７は、サービス名であり、ここでは、加盟店１１が提供するサービス「ゲームサーバの予約」である。説明６４９は、このサービスについてのコメントを記入する。加盟店１１の管理者は更に時間予約のオプション設定として、予約対象リソース登録管理画面６０３に、予約可能期間と時間帯６５１、予約対象除外日６５３、最低利用時間・予約単位時間・最大連続利用時間・最低間隔時間６５５、予約制限６５７、売上確定タイミング６５９、キャンセル可能期限６６１、キャンセル料６６３、その他のオプション６６５、予約時の顧客入力項目６６７等を入力する。さらに
予約対象リソース登録管理画面６２３には、サービスのリソースＩＤ６６９、リソース名称６７１、リソース数６７３、ステータス６７５、料金体系６７７等を入力する。
（オ）「【０２４６】予約時の顧客入力項目６６７には、顧客９が時間枠予約画面６０７で入力する項目を設定する。例えば、
加盟店１１が、会議室管理を行うサービス事業者である場合、「会議室予約ボード」の時間枠予約画面６０７を作成する場合に、顧客入力項目６６７に「利用人数」を設定すると、時間枠予約画面６０７（後述する、図６５の記入枠６８１）に、「利用人数」を入力する項目が自動的に作成される。
（カ）「【０２４８】ステータス６７５は、該当するサービスの状態、「受付中」「受け付け前」等を示す。
料金体系６７７は、該当するサービスの基本利用料金や単位料金等を示す。例えば基本利用料金１００円、１５分当たりの利用料金５００円、等と指定する。
（キ）「【０２５５】
顧客９は、日付選択部６７９から予約日付を選択し、記入枠６８１において、予約対象、開始時間等の項目を入力し、予約ボタン６１７をクリックして予約を行う
　以上のことから、甲第３号証には、
「代行システム１は、ネットワーク３に顧客９の有する端末機５、加盟店１１の有する加盟店サーバ７、サービス提供サーバ８及びサービス代行サーバ（代行業者）１３等が接続され、
　予約対象リソースとは、加盟店１１が先着型予約、抽選型予約、時間枠予約等の予約サービスを行うときに、この予約サービスで取扱う商品等の情報であり、
固定時間帯枠型４３１は、あらかじめ決められた固定時間枠を先着型で予約受け付けをする。フリー時間帯枠型４３３は申込み者が任意の時間帯で予約でき、
　加盟店１１が、サービス提供者である場合、「ゲームサーバの予約」において、顧客入力項目６６７に「利用人数」を設定すると、時間枠予約画面６０７（後述する、図６５の記入枠６８１）に、「利用人数」を入力する項目が自動的に作成され、予約対象リソース登録管理画面６２３には、サービスのリソースＩＤ６６９、リソース名称６７１、リソース数６７３、ステータス６７５、料金体系６７７等を入力でき、
　顧客９は、日付選択部６７９から予約日付を選択し、記入枠６８１において、予約対象、開始時間等の項目を入力し、予約ボタン６１７をクリックして予約を行う代行システム。」の発明が記載されている。
（４）甲第４号証
（ア）「【００４６】店舗テーブルは、会社名、店舗名、住所、電話番号、電子メールアドレス、その他の各種情報を格納することが出来る。
料金テーブルには、各店舗ごとの料金を、サービス内容ごとに格納するためのものであり、さらには曜日別、時間帯別、スタッフ別、リソース別等の料金を設定し格納しておくことが出来る。
予約テーブルは、各店舗ごと、さらにはスタッフごとに、日付及び時間帯ごとに予約状況に関する情報を格納しておくためのものである。
リソーステーブルとは、各店舗ごとに、サービスに付随する特定の条件であるリソースを格納するためのものである。リソースとは、例えば、美容院における特定の美容師の指定、又はレストランにおける特定のテーブルの指定などにおける、美容師やレストランのテーブルに相当するもので、人、物、場所などの種類がある。これは、商品やサービス内容とは別なものでそれらに付随するものであり、その有無によって商品やサービスの価値が左右されるものであるので、本発明における予約において指定出来るようにしたのである。
（５）甲第５号証
（ア）「【００１３】
宿泊サービス希望者がペット持ち込みを希望するなど、そのままでは予約の受け入れが出来ない場合には、宿泊サービス提供者は受け入れ可能な予約条件を提示して予約管理設備１に通信回線Ｓを介して送信する。
宿泊サービス希望者がその条件を受け入れれば、改めてその条件で宿泊サービスの予約をする。
　
５．判断
（１）請求項１に係る発明について
（ア）理由１について
ａ．甲第１号証
　異議申立書第４５頁第１６〜第２４行には、「相違点１：本件発明１では、「少なくとも、前記予約受付者が提供するサービスの内容を特定するメニュー項目、および前記サービスを提供する際の資源となるリソースを前記予約受付者に登録させる」のに対し、引用発明１では、「ヨガ教室クラス」，「体験レッスン」からなる予約フォームは本件補正発明１の「メニュー項目」に一応相当し、また、「初診」，「再診」、「１時間コース」，「２時間コース」，「３時間コース」、「補講」，「特別授業」や「お試し授業」からなる「予約の種類」は「本件発明１の「リソース」に対応するものの，「予約受付者が提供するサービスの内容を特定するメニュー項目」と「サービスを提供する際の資源となるリソース」とが明確に分かれていない点。」と記載されている。
　この記載について検討する。
　本特許明細書段落番号００３４には、「予約受付者が提供するサービスの内容を特定するメニュー項目、サービスを提供する際の資源（例えば、人、設備、備品等）となるリソース」と記載されていて、「「初診」，「再診」、「１時間コース」，「２時間コース」，「３時間コース」、「補講」，「特別授業」や「お試し授業」からなる「予約の種類」」は、「サービスを提供する際の資源（例えば、人、設備、備品等）となるリソース」ではないから、請求項１に係る発明の「リソース」には相当しない。
　したがって、甲第１号証には、「リソース」に相当する構成が記載されていない。
ｂ．甲第２号証
　異議申立書の第３５頁第１３行〜第１６行には、「引用発明２の「グループ」および「プラン」は、本件発明１の「メニュー項目」に相当し，また，引用発明２における「単価」及び「オプション」等の「各部屋に関する情報（部屋タイプ，設備，宿泊料金などの項目）は本件発明１の「リソース」に相当する。」と記載されている。
　この記載について検討する。
　４．（２）（オ）の記載からみて、「単価」は、サービスの金額であって、「サービスを提供する際の資源（例えば、人、設備、備品等）となるリソース」とはいえない。また、「オプション」は商品・サービスに付属する商品やサービス（例えば、宿泊施設のオプションサービス）の価格などを設定するためのものであって、請求項１に係る発明のサービスを提供する際の資源（例えば、人、設備、備品等）であって、予約受付者が予約受付者端末を介して選択した業種・業態に対応付けて予め設定され、登録可能な内容として、予約受付者に対して提示される「リソース」とはいえない。
　「部屋タイプ，設備」は、予約受付者が設定したリソースといえるものではあるが、電子パンフレットの検索インデックスの項目として用いられるものであって、請求項１に係る発明のサービスを提供する際の資源（例えば、人、設備、備品等）であって、予約受付者が予約受付者端末を介して選択した業種・業態に対応付けて予め設定され、登録可能な内容として、予約受付者に対して提示される「リソース」とはいえない。
ｃ．甲第３号証
　異議申立書第３５頁第２９行〜第３６頁第２行には、「引用発明３の「予約時の顧客入力項目６６７」，「予約対象リソース」は、本件発明１の「メニュー項目」，「リソース」にそれぞれ相当する」と記載されている。
４．（３）（エ）、（カ）の記載からみて、「予約対象リソース登録管理画面６２３」で登録されるリソースは、「サービスのリソースＩＤ６６９、リソース名称６７１、リソース数６７３、ステータス６７５、料金体系６７７等」であり、このリソースは、予約サービスで取り扱う商品の情報であるから、これらはいずれも「サービスを提供する際の資源（例えば、人、設備、備品等）となるリソース」とはいえない。
　したがって、甲第１号証の発明に対して、甲第２号証、甲第３号証を適用したところで請求項１に係る発明にはならない。
（イ）理由２について
　異議申立書第４８頁ウには、「引用発明２の「グループ」および「プラン」は、本件発明１の「メニュー項目」に相当し，また，引用発明２における「単価」及び「オプション」等の「各部屋に関する情報（部屋タイプ，設備，宿泊料金などの項目）は本件発明１の「リソース」に相当する」と記載されているが、５．（１）（ア）ｂ．で述べたように、「「単価」及び「オプション」等の「各部屋に関する情報（宿泊料金などの項目）」は、請求項１に係る発明の「リソース」に相当しない。「部屋タイプ，設備」は、予約受付者が設定したリソースといえるものではあるが、電子パンフレットの検索インデックスの項目として用いられるものであって、請求項１に係る発明のサービスを提供する際の資源（例えば、人、設備、備品等）であって、予約受付者が予約受付者端末を介して選択した業種・業態に対応付けて予め設定され、登録可能な内容として、予約受付者に対して提示される「リソース」とはいえない。
　また、５．（１）（ア）ａ．とｃ．で述べたように、甲第１号証、甲第３号証にも、請求項１に係る発明の「リソース」に相当する構成はないから、甲第２号証には、甲第１号証、甲第３号証を適用したところで請求項１に係る発明にはならない。
（ウ）理由３について
　異議申立書第５２頁ウには、「引用発明３の「予約時の顧客入力項目６６７」，「予約対象リソース」は、本件発明１の「メニュー項目」，「リソース」にそれぞれ相当する」と記載されているが、５．（１）（ア）ｃ．で述べたように、甲第３号証の「予約対象リソース」は、「サービスのリソースＩＤ６６９、リソース名称６７１、リソース数６７３、ステータス６７５、料金体系６７７等」の予約サービスで取り扱う商品の情報であって、請求項１に係る発明の「リソース」とはいえない。
　また、５．（１）（ア）ａ．とｂ．で述べたように、甲第１号証、甲第３号証には、請求項１に係る発明の「リソース」に相当する構成はない。
ａ．甲第４号証
　異議申立書第３９頁第２８行〜第２９行には、「甲第４号証に記載された技術の「リソース」及び「料金」は，本件発明１の「リソース」に相当する。」と記載されている。
　「料金」については、「サービスを提供する際の資源（例えば、人、設備、備品等）となるリソース」とはいえない
　４．（４）（ア）の記載からみて、当該「リソース」は、予約において指定できるものではあるが、請求項１に係る発明のサービスを提供する際の資源（例えば、人、設備、備品等）であって、予約受付者が予約受付者端末を介して選択した業種・業態に対応付けて予め設定され、登録可能な内容として、予約受付者に対して提示される「リソース」とはいえない。
ｂ．甲第５号証
　異議申立書第４３頁第１行〜第２行には、「甲第５号証に記載された技術の「料金」及び「受け入れ可能な予約条件」は，本件発明１の「リソース」に相当する。」と記載されている。
　「料金」については、「サービスを提供する際の資源（例えば、人、設備、備品等）となるリソース」とはいえないし、「受け入れ可能な予約条件」についても、４．（５）（ア）に記載されているような「宿泊サービス希望者がペット持ち込みを希望するするなど、そのままでは予約の受け入れが出来ない場合」に提示する受け入れ可能な予約条件が、「サービスを提供する際の資源（例えば、人、設備、備品等）となるリソース」に係る条件であるとの記載はなく、この予約条件は、請求項１に係る発明の「リソース」とはいえない。
　甲３号証に甲第１号証、甲第３号証を組み合わせ、さらに、甲第４号証、甲第５号証を組み合わせてもても、請求項１に係る発明にはならない。
（２）請求項２及び３、請求項４、請求項５に係る発明について
　請求項２及び３に係る発明は、上記請求項１に係る発明を更に限定したものであるから、請求項１についての判断と同様の理由により、上記甲第１号証〜甲第３号証に記載された発明及び甲第４号証、甲第５号証に記載された技術的事項から当業者が容易になし得るものではない。
　また、請求項４は請求項１の構成を方法カテゴリーとして記載したものであり、請求項５も請求項１の構成をプログラムカテゴリーとして記載したものであるから、上記請求項１に係る発明についての判断と同様の理由により、上記甲第１号証〜甲第３号証に記載された発明及び甲第４号証、甲第５号証に記載された技術的事項から当業者が容易になし得るものではない。
　以上のとおり、請求項１〜５に係る発明は、甲第１号証〜甲第３号証に記載された発明及び甲第４号証、甲第５号証に記載された技術的事項からから当業者が容易に発明をすることができたものではない。
６．むすび
　したがって、特許異議の申立ての理由及び証拠によっては、請求項１〜５に係る特許を取り消すことはできない。　
　また、他に請求項１〜５に係る特許を取り消すべき理由を発見しない。
　よって、結論のとおり決定する。
【異議決定日】
平成２９年３月２２日（２０１７．３．２２）